(57)【特許請求の範囲】
【請求項１】
サッシ枠の室外側に取り付けられる水切りの取付構造であって、前記サッシ枠の室外側端縁には上側が開口された係合溝が形成され、前記水切りの室内側端縁には前記係合溝内に挿入可能な係合部が形成され、この係合部には室内側に向かって開口する取付溝が形成され、この取付溝には係合部を上方から係合溝内に挿入した際に、係合溝の室内側内面に圧着してその摩擦力で係合溝に係止される弾性材が取り付けられていることを特徴とするサッシ枠の水切り取付構造。
【請求項２】
請求項１に記載のサッシ枠の水切り取付構造において、前記弾性材は、水切りの係合部に取り付けられる取付部と、この取付部に接着されて前記係合溝の内面に圧着する圧着部とで構成されていることを特徴とするサッシ枠の水切り取付構造。
【請求項３】
請求項２に記載のサッシ枠の水切り取付構造において、前記取付部はゴムで構成され、前記圧着部は樹脂発泡体で構成されていることを特徴とするサッシ枠の水切り取付構造。
【発明の詳細な説明】
【０００１】
【発明の属する技術分野】
本発明は、サッシ枠に水切りを取り付ける際の取付構造に関する。
【０００２】
【背景技術】
建物の掃き出し口用の開口部等に設けられるサッシの下枠には、従来より、図３に示すように、サッシ下枠１０上に降り注いだ雨水が下枠１０に沿って外壁１側に伝わらないように、水切り３０が取り付けられていた。
すなわち、サッシ下枠１０は、チャンネル材２にボルト４およびナット５で固定された取付ブラケット３の室外側端部３Ａおよび室内側端部３Ｂに、サッシ下枠１０の室外側端部１０Ａおよび室内側端部１０Ｂをそれぞれビス６で固定することで開口部に取り付けられていた。
【０００３】
そして、水切り３０は、このサッシ下枠１０の室外側に取り付けられていた。すなわち、サッシ下枠１０の室外側端部１０Ａにおける上部側には、上側が開口された係合溝１１が形成されており、下部側には、係合溝１１よりも開口が小さな係合溝１２が形成されている。
【０００４】
一方、水切り３０の室内側端部には、前記係合溝１１，１２にそれぞれ係合する係合部３１，３２が形成されている。
そして、係合溝１１の内側面に形成された突起１１Ａと、係合部３１の側面に形成された突起３１Ａとが係合することにより、水切り３０を人が踏んでも、水切り３０の係合部３１側が浮き上がって水切り３０がサッシ下枠１０から外れることが防止されている。
なお、係合部３１が係合された係合溝１１内には、防水材３３が配置されており、係合溝１１内への雨水の浸入を防止している。
【０００５】
【発明が解決しようとする課題】
しかし、このような従来の水切り３０の取付構造では、各突起１１Ａ，３１Ａが係合しているため、水切り３０を確実に浮き止めすることができる反面、各突起１１Ａ，３１Ａの係合状態を解除して水切り３０を取り外すことが難しいという問題があった。
このため、水切り３０を取り外してサッシ窓を改装する際に、作業が困難になるという問題があった。
【０００６】
本発明の目的は、サッシ枠に取り付けられている水切りの浮き上がりを防止できるとともに、改装等で水切りを取り外す際には容易にサッシ枠から取り外すことができるサッシ枠の水切り取付構造を提供することにある。
【０００７】
【課題を解決するための手段】
本発明のサッシ枠の水切り取付構造は、図面を参照して説明すると、サッシ枠１０の室外側端縁１０Ａに上側が開口された係合溝１１を形成し、前記水切り２０の室内側端縁に前記係合溝１１内に挿入可能な係合部２１を形成し、この係合部２１に室内側に向かって開口する取付溝２１Ａを形成し、この取付溝２１Ａに弾性材２５を取り付け、係合部２１を上方から係合溝１１内に挿入した際に前記弾性材２５を係合溝１１の室内側内面に圧着してその摩擦力で水切り２０をサッシ枠１０に係止させたことを特徴とする。
【０００８】
本発明においては、弾性材２５が取り付けられた係合部２１を係合溝１１内に挿入すると弾性材２５が圧縮され、その反発力で弾性材２５が係合溝１１の内面に圧着して十分な摩擦力が生じる。このため、水切り２０を人が踏んでも、水切り２０の室内側の浮き上がりを摩擦力が働くことで防止でき、従来のように突起を設けて突起同士を係合させなくても水切り２０を浮き止めすることができる。
【０００９】
また、弾性材２５は容易に切断して係合部２１から取り外すことができるため、サッシの改装時等に弾性材２５を切断して除去することで、水切り２０を容易に取り外すことができる。
【００１０】
この際、前記弾性材２５は、水切り２０の係合部２１に取り付けられる取付部２６と、この取付部２６に接着剤やインサート成形などで一体化されることで接着されて前記係合溝１１の内面に圧着する圧着部２７とで構成されていることが好ましい。
弾性材２５を取付部２６および圧着部２７で構成すれば、各部２６，２７を別部材で構成することができるため、例えば、取付部２６にゴム等の水切り２０への取付強度を高くできる部材を用い、圧着部２７に樹脂の発泡体等の摩擦力を大きくできる部材を用いることができて弾性材２５の性能を向上することができる。
その上、取付部２６および圧着部２７を別部材で構成すれば、弾性材２５を切断する際に各部材２６，２７の接合部分に沿って切断することで、弾性材２５をより簡単に切断することができる。
【００１１】
【発明の実施の形態】
以下に本発明の一実施形態を図面に基づいて説明する。なお、本実施形態において、図３の従来例と同一あるいは同様の構成部分には同一符号を付し、説明を省略あるいは簡略する。
【００１２】
図１に示すように、サッシ下枠１０の室外側に取り付けられる水切り２０は、サッシ下枠１０の各係合溝１１，１２に係合される係合部２１，２２を備えている。
【００１３】
係合部２１には、図２にも示すように、室内側に向かって開口する取付溝２１Ａが形成され、この取付溝２１Ａには弾性材２５が保持されている。
弾性材２５は、取付溝２１Ａに保持されたゴム製の取付部２６と、この取付部２６に接着されたＥＰＤＭ（エチレンプロピレンゴム）等の合成樹脂製の発泡体からなる圧着部２７とで構成されている。
【００１４】
圧着部２７は、係合溝１１の溝幅よりも寸法Ｈ２だけ突出するつぶれ代２７Ａ部分を備えており、係合部２１を係合溝１１内に挿入した際に、このつぶれ代２７Ａがつぶれることによって係合溝１１の内面に圧着し、水切り２０を浮き止めするのに十分な摩擦力が発生するように構成されている。
【００１５】
なお、つぶれ代２７Ａの寸法Ｈ２は、圧着部２７の材質や、必要とされる摩擦力等に応じて適宜設定すればよいが、例えば、圧着部２７のつぶれ代２７Ａを除いた残りの部分の寸法Ｈ１とＨ２との寸法比が４：１となるように設定すればよい。
【００１６】
また、図１に示すように、サッシ下枠１０の下面と外壁１の上面との間には、バックアップ材７およびシーリング材８が充填されて防水処理されている。
さらに、水切り２０の下面には下端が外壁１に接する合成樹脂製のリップ９が取り付けられ、雨水がシーリング材８側に吹き込むことを防止するとともに、仮に雨水がリップ９およびシーリング材８間に浸入しても容易に排出することができ、さらに虫やゴミの侵入を防止している。
【００１７】
このような本実施形態においては、水切り２０に弾性材２５を取り付けておき、係合部２１，２２を係合溝１１，１２内に挿入する。この際、弾性材２５の圧着部２７がつぶれて係合溝１１の内面に圧着して係止される。
【００１８】
人がサッシ窓から出入りする際に水切り２０を踏むと、水切り２０は外壁１の上方に浮いて配置されているため、水切り２０の室外側は外壁１側に沈み、室内側は浮き上がろうとする。この際、弾性材２５の圧着部２７と係合溝１１との間で摩擦力が生じ、その摩擦力で水切り２０の室内側が浮き上がることが防止される。
【００１９】
一方、改装などで水切り２０を取り外す場合には、カッター等を用いて弾性材２５の圧着部２７を切断し、取付部２６側から分離された圧着部２７を取り外す。
圧着部２７が外されると、摩擦による係合部２１の係止も解除されるため、係合部２１を係合溝１１から取り外すことができ、よって水切り２０をサッシ下枠１０から取り外すことができる。
【００２０】
このような本実施形態によれば、次のような効果がある。
すなわち、水切り２０をサッシ下枠１０に取り付けるにあたって、水切り２０の係合部２１をサッシ下枠１０の係合溝１１内に圧入し、係合部２１に取り付けた弾性材２５を係合溝１１の内面に圧着させたので、水切り２０がサッシ下枠１０に対して浮き上がろうとしても、弾性材２５の圧着部２７と係合溝１１との間の摩擦力によって水切り２０が係止されてその浮き上がりを防止することができる。
【００２１】
この際、弾性材２５および係合溝１１間の摩擦力は、弾性材２５の圧着部２７のつぶれ代２７Ａの大きさ、圧着部２７の材質等に応じて適宜設定できるため、水切り２０のサイズ等に応じて水切り２０が浮き上がる際の力が異なる各種サッシにおいても、その力に応じた摩擦力を容易に設定することができ、水切り２０の浮き上がりを確実に防止することができる。
【００２２】
また、水切り２０を係止する摩擦力は、弾性材２５の圧着部２７を切断して取り除くことで容易に無くすことができるため、水切り２０をサッシ下枠１０から容易に取り外すことができ、サッシの改装作業も容易に行うことができる。特に、圧着部２７は合成樹脂等を発泡させた発泡体で構成されているので、カッター等で容易に切断して取り除くことができ、水切り２０の取り外し作業をきわめて簡単に行うことができる。
【００２３】
さらに、弾性材２５は、取付部２６および圧着部２７で構成されているので、取付部２６を係合部２１への取り付けに適したゴム等で構成し、圧着部２７を十分な摩擦力を発生できる発泡体等で構成することができる。すなわち、取付部２６および圧着部２７をそれぞれに適した材質のもので構成することができ、取付強度や摩擦力等の性能を高めることができる。
【００２４】
また、弾性材２５は、取付部２６および圧着部２７で構成しているので、圧着部２７を切断する際に、取付部２６および圧着部２７の接続ラインに沿って切断すれば、その切断作業をより一層容易に行うことができる。
【００２５】
なお、本発明は前述の実施形態に限定されるものではなく、本発明の目的を達成できる範囲での変形、改良等は本発明に含まれるものである。
すなわち、前記実施形態では、サッシ下枠１０を従来のものと共用していたため、係合溝１１に突起１１Ａが形成されていたが、本発明では突起１１Ａが不要なため、サッシ下枠に突起が形成されていない係合溝を設けてもよい。
【００２６】
また、弾性材２５を構成する際には、取付部２６と圧着部２７とを接着剤で接着して構成したり、予め成形した取付部２６をインサートして圧着部２７を成形するインサート成形によって取付部２６と圧着部２７とを接着して構成してもよく、実施にあたって適宜な方法で構成すればよい。
【００２７】
さらに、弾性材２５は、取付部２６および圧着部２７の２部材で構成されるものに限らず、一体成形されたものを用いてもよい。また、弾性材２５の材質もＥＰＤＭに限らず、各種の樹脂等が利用できる。
また、弾性材２５を取り除く際に、圧着部２７を切断するのではなく、弾性材２５の端縁にドライバーなどを差し込んで圧着部２７部分を押し上げることなどで弾性材２５を取り除いてもよい。
【００２８】
また、サッシ下枠１０の係合溝１１の内面に、摩擦力を高めるための凹凸などを形成してもよい。
【００２９】
さらに、水切り２０は通常サッシ下枠１０に取り付けられるが、サッシ上枠等に水切りを取り付ける場合にも本発明を利用することができる。
【００３０】
【発明の効果】
本発明のサッシ枠の水切り取付構造によれば、サッシ枠に取り付けられている水切りの浮き上がりを防止できるとともに、改装等で水切りを取り外す際には容易にサッシ枠から取り外すことができる。
【図面の簡単な説明】
【図１】本発明の一実施形態の水切りの取付構造を示す縦断面図である。
【図２】前記実施形態の水切り取付構造の要部を示す分解断面図である。
【図３】本発明の従来例の水切りの取付構造を示す縦断面図である。
【符号の説明】
１０  サッシ枠であるサッシ下枠
１１  係合溝
２０  水切り
２１  係合部
２５  弾性材
２６  取付部
２７  圧着部
【図１】
0003615310.tif 000002
【図２】
0003615310.tif 000003
【図３】
0003615310.tif 000004